(57)【要約】【課題】火葬が支障なく行えると共に、見た目に清潔感があり、葬儀を崇高なものにすることができる棺に収める草履を提供する。【解決手段】草履１が履物台２と鼻緒３からなり、前記履物台２が、焼却可能な長い芯材５を用いて履物台２の輪郭に形成した芯枠６と、この芯枠６の内側に紙紐４を編み込んで形成した外装部７とで形成され、この履物台２上に、紙紐４を三つ編にすることで形成された鼻緒３がすげられている。【選択図】図１
0003132192.tif 000002
【実用新案登録請求の範囲】
【請求項１】
履物台の上面に鼻緒をすげた草履において、前記履物台と鼻緒が紙紐を用いて形成されていることを特徴とする棺に収める草履。
【請求項２】
上記履物台が、焼却可能な長い芯材を用いて履物台の輪郭に形成した芯枠と、この芯枠の内側に紙紐を編み込んで形成した外装部とからなることを特徴とする請求項１に記載の棺に収める草履。
【請求項３】
上記芯材が円軸状に成形された発泡ポリエチレンで形成され、上記芯枠が、一本の芯材を履物台の輪郭になるよう小判型に屈曲させた周枠部の内側に、芯材の両端側を前後方向に沿わせて中間芯となるよう並列配置して形成され、前記紙紐を芯枠に対して、周枠部では折り返し状に巻き付けて中間芯に対して表裏交互に絡むに編み込むことによって外装部が形成されている請求項１又は２に記載の棺に収める草履。
【請求項４】
上記鼻緒は、紙紐を三つ編にすることで形成された鼻緒本体と前鼻緒芯からなり、前鼻緒芯の下端と鼻緒本体の両端を、履物台の外装部を形成する紙紐間に上から差込み、履物台の裏面で前鼻緒芯の下端と鼻緒本体の両端に抜け止め用の結び目を設けた請求項１乃至３の何れかに記載の棺に収める草履。
【請求項５】
上記履物台と鼻緒の形成に用いる紙紐が、幅のある長い紙を幅方向に折り畳んで重ねることによって扁平な紐状に形成されている請求項１乃至４の何れかに記載の棺に収める草履。
【考案の詳細な説明】
【技術分野】
【０００１】
この考案は、副葬品として遺体と共に棺に納めるための草履に関する。
【背景技術】
【０００２】
遺体を納めた棺には、生花だけでなく来世での生活用品や生前の愛用品等の副葬品を一緒に納めるが、従来の一般的な葬儀では、遺体に着用させる死に装束のための部材として、浄土に歩いていけるようにと願って白足袋を履かせるようにしていると共に、副葬品として草鞋を納めることが行われている。
【考案の開示】
【考案が解決しようとする課題】
【０００３】
ところで、足袋には金属製のコハゼが縫い付けられており、このコハゼが溶けて火葬後に炉内に残ることで火葬炉に悪影響を与えることになり、白足袋を履かせることが禁止されるようになってきている。
【０００４】
また、従来の草鞋は、藁を用いて編んだ実用品をそのまま用いているが、草鞋は藁の色をしているので見た目に清潔感がなく、葬儀を崇高なものにするための演出性に欠けるものである。
【０００５】
そこで、この考案の課題は、火葬が支障なく行えると共に、火葬時に有害物質で地球環境を悪化させるようなことがなく、しかも、見た目に清潔感があり、葬儀を崇高なものにすることができる棺に収める草履を提供することにある。
【課題を解決するための手段】
【０００６】
上記の課題を解決するため、この考案は、履物台の上面に鼻緒をすげた草履において、前記履物台と鼻緒が紙紐を用いて形成されている構成を採用したものである。
【０００７】
上記履物台が、焼却可能な長い芯材を用いて履物台の輪郭に形成した芯枠と、この芯枠の内側に紙紐を編み込んで形成した外装部とからなる構造としてもよい。
【０００８】
また、上記芯材が円軸状に成形された発泡ポリエチレンで形成され、上記芯枠が、一本の芯材を履物台の輪郭になるよう小判型に屈曲させた周枠部の内側に、芯材の両端側を前後方向に沿わせて中間芯となるよう並列配置して形成され、前記紙紐を芯枠に対して、周枠部では折り返し状に巻き付けて中間芯に対して表裏交互に絡むに編み込むことによって外装部が形成されている構造とすることができる。
【０００９】
更に、上記鼻緒は、紙紐を三つ編にすることで形成された鼻緒本体と前鼻緒芯からなり、前鼻緒芯の下端と鼻緒本体の両端を、履物台の外装部を形成する紙紐間に上から差込み、履物台の裏面で前鼻緒芯の下端と鼻緒本体の両端に抜け止め用の結び目を設けた構造としてもよい。
【００１０】
また、上記履物台と鼻緒の形成に用いる紙紐が、幅のある長い紙を幅方向に折り畳んで重ねることによって扁平な紐状に形成されているようにしてもよい。
【００１１】
ここで、上記紙紐は、長さ方向繊維の方向が長さ方向に沿った、長さ方向の引張り強度が優れた幅のある長くて白い再生紙を用い、これを幅方向に多数回折り畳んで重ねることによって扁平な紐状に形成され、この折り畳みによって幅方向の強度も向上することになる。
【考案の効果】
【００１２】
この考案によると、草履の履物台と鼻緒を紙紐を用いて形成したので、この草履を棺に遺体の副葬品として納めても、草履は紙製であるので消滅して火葬が支障なく行えると共に、火葬時に有害物質で地球環境を悪化させるようなことがなく、死に装束の部材として白足袋に代わる有用なものとなる。
【００１３】
また、紙紐を用いて形成した草履は、履物台と鼻緒を白い紙紐で編み上げることにより全体が純白となり、見た目に清潔感があるので棺に収める草履として最適なものとなり、この草履を棺に納めることで葬儀を崇高なものにすることができる。
【考案を実施するための最良の形態】
【００１４】
以下、この考案の実施の形態を図示例に基づいて説明する。
【００１５】
図示のように、草履（草鞋）１は、前記履物台２とその上面側にすげた鼻緒３からなり、履物台２と鼻緒３はそれぞれ紙紐４を用いて形成されている。
【００１６】
上記履物台２は、焼却可能な長い芯材５を用いて履物台２の輪郭に形成した芯枠６と、この芯枠６の内側に紙紐４を編み込んで形成した外装部７とからなり、前記芯材５は、例えば、円軸状に成形された発泡ポリエチレンを用い、この一本の芯材５を履物台２の輪郭になるよう一部で交差状にして小判型に屈曲させた周枠部６ａの内側に、芯材５の両端側を前後方向に沿わせて中間芯６ｂとなるよう並列配置して芯枠６とし、この芯枠６に対して前記紙紐４を、周枠部６ａでは折り返し状に巻き付けて中間芯６ｂに対して表裏交互に絡むに編み込むことによって外装部７とし、これによって履物台２が形成されている。
【００１７】
また上記鼻緒３は、紙紐４を三つ編にすることでＶ字状に形成された鼻緒本体３ａと前鼻緒芯３ｂからなり、前鼻緒芯３ｂの下端と鼻緒本体３ａの後部両端を、履物台２の外装部７を形成する紙紐４間に上から差込み、履物台２の裏面で前鼻緒芯３ｂの下端と鼻緒本体３ａの両端に抜け止め用の結び目３ｃを設けることにより、履物台２の上にすげられている。
【００１８】
ここで、上記履物台２と鼻緒３の形成に用いる紙紐４は、長さ方向繊維の方向が長さ方向に沿った、長さ方向の引張り強度が優れた幅のある長くて白い再生紙を用い、これを幅方向に多数回折り畳んで重ねることによって扁平な紐状に形成され、この折り畳みによって幅方向の強度も向上している。
【００１９】
また、上記履物台２の形成に用いる芯材５は、発泡ポリエチレンに限るものではなく、焼却可能な材料、例えば、上記した紙紐４を丸めて長い棒状にしたものを使用することができ、更に、鼻緒３は、図示のような紙紐４の三つ編み構造だけでなく、鼻緒本体３ａと前鼻緒芯３ｂは、紙紐４を編まずにそのままの状態で使用して形成するようにしてもよい。
【００２０】
この考案の草履１は、上記のような構成であり、遺体に着用させる死に装束のための部材として、草履１を遺体と共に棺に納めて浄土に歩いていけるようにと願うものであり、草履１は純白の紙製であるので見た目に清潔感があり、葬儀を崇高なものにすることができる。
【００２１】
また、草履１は、履物台２と鼻緒３が紙紐４を用いて形成されているので、この草履１を棺に遺体の副葬品として納めても、火葬時に草履１は消滅して火葬が支障なく行えると共に、火葬時に有害物質で地球環境を悪化させるようなことがない。
【図面の簡単な説明】
【００２２】
【図１】この考案に係る草履の斜視図
【図２】（ａ）はこの考案に係る草履の平面図、（ｂ）は同底面図、（ｃ）は草履の拡大した縦断側面図
【符号の説明】
【００２３】
１        草履
２        履物台
３        鼻緒
４        紙紐
５        芯材
６        芯枠
７        外装部
【図１】
0003132192.tif 000003
【図２】
0003132192.tif 000004